(57)【特許請求の範囲】
【請求項１】
パネルに取り付けられる待受側ハウジングと、
前記待受側ハウジングに形成され、前記パネルの取付孔を貫通し、前記パネルの正面側に開口するフード部と、
前記フード部の内面に形成されたカムフォロアと、
前記パネルの正面側から前記フード部内に嵌合される嵌込側ハウジングと、
前記嵌込側ハウジングに設けられ、前記待受側ハウジングと前記嵌込側ハウジングの嵌合方向と交差する方向へ移動可能なスライドレバーと、
前記スライドレバーを構成し、前記待受側ハウジングと前記嵌込側ハウジングの嵌合過程で前記フード部内に進入するカム機能部と、
前記カム機能部に形成され、前記待受側ハウジングと前記嵌込側ハウジングの嵌合過程で前記カムフォロアに係合するカム溝とを備え、
前記スライドレバーには、前記待受側ハウジングと前記嵌込側ハウジングの嵌合過程で前記パネルよりも正面側に配される操作部が形成され、
前記操作部は、前記カム機能部のうち前記フード部への進入方向後端側部分から、前記スライドレバーの移動方向と略平行に突出しているコネクタ。
【請求項２】
前記フード部の外周に、前記パネルに係止されるフランジ部が形成され、
前記カムフォロアは、前記待受側ハウジングと前記嵌込側ハウジングの嵌合方向において前記フランジ部と対応する位置に配されていることを特徴とする請求項１記載のコネクタ。
【請求項３】
前記フード部には、前記操作部との干渉を回避する切欠部が形成されていることを特徴とする請求項２記載のコネクタ。
【発明の詳細な説明】
【技術分野】
【０００１】
本発明は、コネクタに関するものである。
【背景技術】
【０００２】
特許文献１には、パネルの取付孔に貫通状態で保持される待受側ハウジングと、待受側ハウジングのフード部内に嵌合される嵌込側ハウジングと、嵌込側ハウジングに取り付けたスライドレバーとを備えたコネクタが開示されている。両ハウジングを嵌合する際には、パネルの正面側において嵌込側ハウジングをフード部に浅く嵌合し、スライドレバーを両ハウジングの嵌合方向と交差する方向へスライドさせる。すると、フード部のカムフォロアとスライドレバーのカム溝との摺接によるカム作用により、嵌込側ハウジングがフード部内に引き込まれるようになっている。
【先行技術文献】
【特許文献】
【０００３】
【特許文献１】特開２０１５−０６９８３６号公報
【発明の概要】
【発明が解決しようとする課題】
【０００４】
上記のコネクタでは、スライドレバーをパネルよりも正面側で操作するのであるが、カムフォロアはフード部の外面に設けられているので、スライドレバーの操作部を含む全体が、パネルよりも正面側に配されることになる。そのため、フード部をパネルの正面側へ大きく突出させる必要があり、その結果、パネルの正面側には、嵌込側ハウジングとフード部を並べて配置することのできる大きなスペースが必要となる。
【０００５】
本発明は上記のような事情に基づいて完成されたものであって、省スペース化を図ることを目的とする。
【課題を解決するための手段】
【０００６】
本発明は、
パネルに取り付けられる待受側ハウジングと、
前記待受側ハウジングに形成され、前記パネルの取付孔を貫通し、前記パネルの正面側に開口するフード部と、
前記フード部の内面に形成されたカムフォロアと、
前記パネルの正面側から前記フード部内に嵌合される嵌込側ハウジングと、
前記嵌込側ハウジングに設けられ、前記待受側ハウジングと前記嵌込側ハウジングの嵌合方向と交差する方向へ移動可能なスライドレバーと、
前記スライドレバーを構成し、前記待受側ハウジングと前記嵌込側ハウジングの嵌合過程で前記フード部内に進入するカム機能部と、
前記カム機能部に形成され、前記待受側ハウジングと前記嵌込側ハウジングの嵌合過程で前記カムフォロアに係合するカム溝と、
前記カム機能部のうち前記フード部への進入方向後端側部分から、前記スライドレバーの移動方向と略平行に突出した形態であって、前記パネルよりも正面側に配される操作部とを備えているところに特徴を有する。
【発明の効果】
【０００７】
待受側ハウジングと嵌込側ハウジングを嵌合する際には、スライドレバーのカム機能部をフード部内に進入させてカム溝をカムフォロアに係合させ、パネルよりも正面側で操作部を操作することにより、スライドレバーを移動させる。操作部は、カム機能部のうちフード部への進入方向後端側部分から、スライドレバーの移動方向と略平行に突出した形態であるから、カム機能部のうちフード部への進入方向前端側部分を、パネルよりも背面側に配することができる。これにより、パネルの正面側へのフード部の突出寸法を小さく抑えることができる。
【図面の簡単な説明】
【０００８】
【図１】実施例１のコネクタを構成する待受側ハウジングの分解斜視図
【図２】コネクタを構成する嵌込側ハウジングの斜視図
【図３】スライドレバーの斜視図
【図４】スライドレバーの側面図
【図５】パネルの取り付けた待受側ハウジングと、嵌込側ハウジングとを嵌合する前の状態をあらわす一部切欠側面図
【図６】待受側ハウジングに嵌込側ハウジングを浅く嵌合してカム溝の入口をカムフォロアに嵌合した状態をあわらす一部切欠側面図
【図７】待受側ハウジングと嵌込側ハウジングが正規嵌合した状態をあらわす一部切欠側面図
【発明を実施するための形態】
【０００９】
本発明は、前記フード部の外周に、前記パネルに係止されるフランジ部が形成され、前記カムフォロアは、前記待受側ハウジングと前記嵌込側ハウジングの嵌合方向において前記フランジ部と対応する位置に配されていてもよい。この構成によれば、両ハウジングの嵌合過程では、カムフォロアがスライドレバー側からの押圧力を受けて不正に傾けられることが懸念される。しかし、フード部のうちカムフォロアの形成領域はフランジ部によって補強されているので、カムフォロアが不正に傾く虞がない。
【００１０】
本発明は、前記フード部には、前記操作部との干渉を回避する切欠部が形成されていてもよい。この構成の技術的意義は、次の通りである。カムフォロアがフランジ部と対応する位置に配されていると、フード部の前端部がパネルよりも正面側へ突出することになる。そこで、フード部に切欠部を形成することにより、操作部の一部がフード部内に収容されるようにした。これにより、フード部に切欠部を形成しない場合に比べると、両ハウジングの嵌合方向におけるスライドレバーの寸法を小さくすることができる。
【００１１】
＜実施例１＞
以下、本発明を具体化した実施例１を図１〜図７を参照して説明する。尚、以下の説明において、前後の方向については、図５〜７における右方を前方と定義する。上下の方向については、図１〜７にあらわれる向きを、そのまま上方、下方と定義する。
【００１２】
本実施例のコネクタＡは、自動車のボディを構成するパネルＰに取り付けられるものである。パネルＰには、その正面Ｓ（前面）から背面（後面）に貫通した形態の取付孔Ｈが形成されている。コネクタＡは、予めパネルＰに保持された待受側ハウジングＭと、この待受側ハウジングＭに対しパネルＰの正面Ｓ側から嵌合される嵌込側ハウジングＦとを備えている。
【００１３】
待受側ハウジングＭは、前方へ突出する縦長筒状をなすフード部１１が形成された合成樹脂製のフレーム１０と、フレーム１０に対し後方から組み付けられた合成樹脂製のサブハウジング１８とを備えている。サブハウジング１８には複数の雄端子金具（図示省略）が取り付けられ、雄端子金具の前端部のタブがフード部１１で包囲されている。
【００１４】
フード部１１の前端部外周には、全周に亘ってリブ状に突出した形態のフランジ部１２が形成されている。フード部１１の前端部には、複数の弾性係止片１３が形成されている。待受側ハウジングＭは、フード部１１を取付孔Ｈに貫通させた形態でパネルＰに取り付けられている。待受側ハウジングＭは、フランジ部１２をパネルＰの背面に当接させるとともに弾性係止片１３をパネルＰの正面Ｓに係止させることにより、パネルＰに対して取り付け状態に保持されている。
【００１５】
フード部１１を構成する左右両側壁部１４の内面には、左右対称な一対のカムフォロア１５が突出形成されている。カムフォロア１５は、軸線を左右方向（両ハウジングＦ，Ｍの嵌合方向、及び後述するスライドレバー３０の移動方向の両方向に対してほぼ直角に交差する方向）に向けた円柱状をしている。前後方向（両ハウジングＦ，Ｍの嵌合方向と平行な方向）において、カムフォロア１５は、フランジ部１２と重なる位置に配置されている。フランジ部１２一部とカムフォロア１５とは、側壁部１４から互いに内外反対側へ突出した形態である。
【００１６】
待受側ハウジングＭをパネルＰに取り付けた状態では、フード部１１の前端部（フランジ部１２よりも前方の領域）がパネルＰよりも正面Ｓ側へ突出している。また、フード部１１の前端部には、フード部１１の内部と外部を連通させるとともに、フード部１１の前端縁に開放された切欠部１６が形成されている。切欠部１６は、フード部１１を構成する上壁部１７のうちパネルＰの正面Ｓよりも前方（正面Ｓ側）の領域と、左右両側壁部１４の上端部のうちパネルＰの正面Ｓよりも前方の領域とを切欠した形態である。
【００１７】
嵌込側ハウジングＦは、ハウジング本体２０と、ハウジング本体２０に対し初期位置（図２，５，６を参照）と、初期位置より下方の嵌合位置（図７を参照）との間で上下方向に相対移動可能な合成樹脂製のスライドレバー３０とを備えて構成されている。ハウジング本体２０の内部には複数の雌端子金具（図示省略）が収容されている。ハウジング本体２０には、スライドレバー３０を移動可能にガイドするための左右一対のガイド壁部２１が形成されている。ハウジング本体２０の左右両側面とガイド壁部２１との間の空間は、スライドレバー３０を上下動可能に案内するためのガイド空間２２となっている。
【００１８】
スライドレバー３０は、左右対称な形状であり、図３に示すように、板厚方向を左右方向に向けた平板状をなす左右一対のカム機能部３１と、左右両カム機能部３１の上端部同士を連結した操作部３３とを備えている。カム機能部３１には、スライドレバー３０の移動方向と両ハウジングＦ，Ｍの嵌合方向の両方向に対して傾斜したカム溝３２が形成されている。カム機能部３１の側面視形状は、略方形である。
【００１９】
スライドレバー３０が初期位置から嵌合位置に至るいずれの位置にあっても、カム機能部３１は、その全体がハウジング本体２０の外側面に沿った状態でガイド壁部２１によりガイドされる。両ハウジングＦ，Ｍの嵌合過程では、ハウジング本体２０とカム機能部３１の一部が、フード部１１内に収容されるようになっている。また、カム機能部３１の上下寸法は、ハウジング本体２０（嵌込側ハウジングＦ）の上下寸法より小さい。
【００２０】
操作部３３は、板厚方向をカム機能部３１と同じく左右方向に向けた左右一対の平板状のアーム部３４と、左右両アーム部３４の上端部同士を連結する連結部３５とから構成されている。アーム部３４と連結部３５の前後寸法（フード部１１に対する嵌込側ハウジングＦの進入方向と平行な方向）の寸法は、カム機能部３１の前後方向の寸法よりも小さい。アーム部３４の下端部は、カム機能部３１の上端縁のうちフード部１１への進入方向後端側部分に面一状に連なっている。アーム部３４とカム機能部３１は、フード部１１への進入方向における後端縁同士が面一状に連続している。一方、フード部１１への進入方向において、カム機能部３１の前端縁はアーム部３４の前端縁より前方（フード部１１側）に位置する。カム機能部３１は操作部３３よりもフード部１１側へ突出している。
【００２１】
操作部３３は、カム機能部３１よりも上方に突出しており、スライドレバー３０が初期位置から嵌合位置へ移動する過程では、アーム部３４が、上下方向においてハウジング本体２０の外側面と重なるように変位していく。そして、スライドレバー３０が嵌合位置に到達すると、アーム部３４のほぼ全体がハウジング本体２０の外側面と重なるように位置する。また、嵌合位置では、連結部３５がハウジング本体２０の上面に重なるように位置する。
【００２２】
次に、両ハウジングＦ，Ｍの嵌合過程を説明する。待受側ハウジングＭをパネルＰの取付孔Ｈに取り付け、スライドレバー３０を初期位置に保持した状態の嵌込側ハウジングＦを、パネルＰの正面Ｓ側からフード部１１内に浅く進入させる。このとき、図５に示すように、パネルＰの正面Ｓ側（前方）には、フード部１１の前端部と嵌込側ハウジングＦの全体を配置するための前後方向のスペースが必要となる。嵌込側ハウジングＦをフード部１１内に進入すると、図６に示すように、カム溝３２の入口がカムフォロア１５に嵌合する。このとき、嵌込側ハウジングＦとカム機能部３１の一部は、パネルＰの背面（図５〜７における左側の面）よりも更に背面側に位置する。
【００２３】
この状態から、操作部３３の連結部３５を上から押し操作し、スライドレバー３０を下方へ移動させる。スライドレバー３０の移動に伴い、カムフォロア１５とカム溝３２が係合してカム作用が発揮され、嵌込側ハウジングＦがフード部１１の奥方へ引き込まれる。この間、カム機能部３１は、フード部１１内への進入深さを増しながら、フード部１１に対して相対的に下方へ変位していく。この間、操作部３３の全体はパネルＰの正面Ｓよりも正面Ｓ側に位置する状態を保つが、アーム部３４の下端部は切欠部１６を通過しながらフード部１１内に収容されていく。
【００２４】
スライドレバー３０が嵌合位置に到達すると、図７に示すように、両ハウジングＦ，Ｍの嵌合が完了して正規嵌合状態になる。正規嵌合状態では、フード部１１に対するカム機能部３１の進入量が最大になるが、操作部３３のうち連結部３５の全体とアーム部３４の大部分は、パネルＰの正面Ｓよりも正面Ｓ側に位置している。カム機能部３１の大部分とカム溝３２の大部分はフード部１１内に収容され、カム機能部３１のほぼ半分の領域はパネルＰの背面よりも背面側に位置する。このように、スライドレバー３０の大部分の領域がフード部１１内に収容されるので、フード部１１の大部分の領域をパネルＰの背面側に配置することが可能となっている。
【００２５】
上述のように本実施例のコネクタＡは、パネルＰに取り付けられる待受側ハウジングＭと、パネルＰの正面Ｓ側から待受側ハウジングＭのフード部１１内に嵌合される嵌込側ハウジングＦとを備えている。待受側ハウジングＭには、パネルＰの取付孔Ｈを貫通し、パネルＰの正面Ｓ側に開口するフード部１１が形成され、フード部１１の内面にはカムフォロア１５が形成されている。
【００２６】
嵌込側ハウジングＦには、両ハウジングＦ，Ｍの嵌合方向と交差する上下方向へ移動可能なスライドレバー３０が設けられている。スライドレバー３０を構成するカム機能部３１は、両ハウジングＦ，Ｍの嵌合過程でフード部１１内に進入するようになっている。カム機能部３１には、両ハウジングＦ，Ｍの嵌合過程でカムフォロア１５に係合するカム溝３２が形成されている。スライドレバー３０の操作部３３は、カム機能部３１のうちフード部１１への進入方向後端側部分から、スライドレバー３０の移動方向と略平行に突出した形態である。操作部３３は、両ハウジングＦ，Ｍの嵌合過程でパネルＰよりも正面Ｓ側に配された状態を保つ。
【００２７】
両ハウジングＦ，Ｍを嵌合する際には、スライドレバー３０のカム機能部３１をフード部１１内に進入させてカム溝３２をカムフォロア１５に係合させ、パネルＰよりも正面Ｓ側で操作部３３を操作することにより、スライドレバー３０を初期位置から嵌合位置へ移動させる。操作部３３は、カム機能部３１のうちフード部１１への進入方向後端側部分から、スライドレバー３０の移動方向と略平行に突出した形態であるから、カム機能部３１のうちフード部１１への進入方向前端側部分を、パネルＰよりも背面側に配することができる。これにより、パネルＰの正面Ｓ側へのフード部１１の突出寸法を小さく抑えることが実現できた。
【００２８】
また、両ハウジングＦ，Ｍの嵌合過程では、カムフォロア１５が、スライドレバー３０のカム溝３２側から押圧力を受けるため、両ハウジングＦ，Ｍの嵌合方向と略平行な方向へ不正に傾けられることが懸念される。しかし、フード部１１の外周には、パネルＰに係止されるフランジ部１２が形成され、カムフォロア１５は、両ハウジングＦ，Ｍの嵌合方向においてフランジ部１２と対応する位置に配されているので、フード部１１のうちカムフォロア１５の形成領域はフランジ部１２によって補強されている。したがって、カムフォロア１５が不正に傾く虞はない。
【００２９】
また、カムフォロア１５がフランジ部１２と対応する位置に配されているので、フード部１１の前端部がパネルＰの正面Ｓよりも正面Ｓ側へ突出することになる。そのため、両ハウジングＦ，Ｍが嵌合したときに、操作部３３の全体がフード部１１の前端よりも前方に配置されるようになっていると、スライドレバー３０の前後方向の寸法が大きくなる。しかし、フード部１１の前端部には、操作部３３との干渉を回避するための切欠部１６を形成し、操作部３３の一部がフード部１１内に収容されるようにした。この構成によれば、フード部１１に切欠部１６を形成しない場合に比べると、両ハウジングＦ，Ｍの嵌合方向におけるスライドレバー３０の寸法を小さくすることができる。
【００３０】
＜他の実施例＞
本発明は上記記述及び図面によって説明した実施例に限定されるものではなく、例えば次のような実施例も本発明の技術的範囲に含まれる。
（１）上記実施例では、両ハウジングの嵌合方向においてカムフォロアがフランジ部と対応する位置に配されているが、カムフォロアはフランジ部よりも前方又は後方に外れた位置に配されていてもよい。
（２）上記実施例では、両ハウジングの嵌合状態で操作部の後端がフード部の前端より後方に位置しているが、両ハウジングの嵌合状態における操作部の後端の位置は、フード部の前端と同じ位置でもよく、フード部の前端より前方の位置でもよい。
（３）上記実施例では、フード部に操作部との干渉を回避するための切欠部を形成したが、フード部は切欠部が形成されない形態であってもよい。
【符号の説明】
【００３１】
Ａ…コネクタ
Ｆ…嵌込側ハウジング
Ｈ…取付孔
Ｍ…待受側ハウジング
Ｐ…パネル
Ｓ…パネルの正面
１１…フード部
１２…フランジ部
１５…カムフォロア
１６…切欠部
３０…スライドレバー
３１…カム機能部
３２…カム溝
３３…操作部
【図１】
0006607088.tif 000002
【図２】
0006607088.tif 000003
【図３】
0006607088.tif 000004
【図４】
0006607088.tif 000005
【図５】
0006607088.tif 000006
【図６】
0006607088.tif 000007
【図７】
0006607088.tif 000008